【事件の表示】
平成　４年特許願第１３４８５２号「高速カラービデオプリンタ」拒絶査定に対する審判事件［　平成　６年　３月１８日出願公開、特開平　６−　７８２５６                        ］について、次のとおり審決する。
【結　論】
　本件審判の請求は、成り立たない。
【理　由】
［１］手続の経緯、本願発明の要旨
　本願は、平成４年５月２７日（パリ条約による優先権主張１９９１年５月２７日、韓国）の出願であって、その請求項１ないし８に係る発明は、平成１０年９月８日付け手続補正書により補正された明細書および図面の記載からみて、本願の特許請求の範囲の請求項１ないし８に記載されたとおりのものと認められるところ、その請求項１に係る発明（以下「本願発明」という）は、特許請求の範囲の請求項１に記載された次のとおりのものである。
「【請求項１】　複数のフィールドで構成される少なくとも１フレームの映像データをデジタル信号に変換して格納するメモリ手段と、
　各フィールド期間のブランキング信号期間中にコラム単位の映像データを前記メモリ手段より読み出してプリンタ側へ出力し、前記コラム単位の映像データをプリンタ側へ出力する期間を１フィールド期間より除いた残りの期間中にフィールド単位の映像を前記メモリ手段よりライン順次に読み出してディスプレイ側へ出力するデータ変換手段と、
　前記データ変換手段から出力されるコラム単位の映像データ中の１色分の映像データを選択出力する選択手段と、
　前記選択手段により選択出力される映像データを蓄積し、出力してプリントが行われるようにするラインメモリ手段と、
　前記データ変換手段から出力されるフィールド単位の映像データをアナログ信号に変換して出力することにより、前記１フレームのディスプレイが行われるようにするデジタル・アナログ変換手段と
　を備えることを特徴とする高速カラービデオプリンタ。」
［２］引用例
　これに対して、原査定の拒絶の理由に引用された特開平１−１９４７７５号公報（平成１年８月４日出願公開。以下「引用例１」という）には、「ビデオプリンタ」に関して、
「［従来例］近年、テレビ信号あるいはビデオ信号等を入力し、その信号による１静止画を記憶し、その１静止画をプリントするビデオ・プリンタが各メーカーから提案されるようになった。」（第１頁右下欄第１０行〜第１４行）、
「図において、その入力信号（ビデオ信号）は、ＮＴＳＣ信号であればデコーダ部１にてＲＧＢ信号とされ、その各信号はそれぞれＡ／Ｄ変換部のＡ／Ｄ変換器２ａ、２ｂ、２ｃにてディジタルに変換される。当該ビデオ・プリンタが記録操作されているときには、それぞれディジタルに変換されたＲＧＢ信号による１静止画分がフレームメモリ３のＲ（赤）用メモリ３ａ、Ｇ（緑）用メモリ３ｂ、Ｂ（青紫）用メモリ３ｃにそれぞれ記憶される。続いてビデオ・プリンタが操作されると、そのフレームメモリ３に記憶された１静止画が例えばプリントの１ライン毎に読み出され、しかも各色毎に読み出されてプリンタ部４に出力される。これにより、プリンタ部においては、例えば、まずイエロー色についてフレームメモリ３から読み出された１ライン毎に上記１静止画が印字され、続いてマゼンタ色、シアン色についてフレームメモリ３から読み出された１ライン毎に上記１静止画が印字され、１枚の静止画のプリントが完了される。
　また、ビデオ・プリンタがモニタ操作されると、上記フレームメモリ３に記憶された１静止画が例えば１走査線毎に読み出され、Ｄ／Ａ変換部５の各Ｄ／Ａ変換器５ａ、５ｂ、５ｃにてアナログに変換され、さらにエンコーダ部６にてビデオ信号とされてビデオ出力端子（図示せず）からモニタ装置等に出力される。」（第２頁左上欄第１行〜右上欄第７行、第８図）、
「なお、上記フレームメモリ３に記憶された１静止画の読み出しは上記プリンタ部４と色変換部８とでは異なっている。これをモニタ画面１１ａにて説明すると、プリンタ部４にはそのモニタ画面１１ａの垂直方向ラインに対応するアドレスにて１静止画が読み出され、色変換部８にはそのモニタ画面１１ａの水平方向走査線に対応するアドレスにて１静止画が読み出される。」（第３頁左上欄第１９行〜右上欄第６行）、および、
「上記実施例におけるプリンタ部４は、フレームメモリ３から垂直方向（モニタ画面１１ａに垂直）に読み出された静止画をプリントしている」（第５頁左上欄第６行〜第８行）と記載されている。
　同じく引用された特開昭５９−２２９９７７号公報（昭和５９年１２月２４日出願公開。以下「引用例２」という）には、「画像情報記録装置」に関して、
「デジタル信号の形でテレビ放送電波に重畳して伝送される画像情報を記録紙上に記録する画像情報記録装置において、画像情報を記憶する画像メモリと、該画像メモリの画像情報をＣＲＴ表示装置に表示させるための同期信号発生回路と、前記画像メモリに画像情報の書込み・読出しを行なう主制御回路と、前記画像メモリを同期信号発生回路または主制御回路に択一的に切換えて接続するバススイッチと、プリンタ動作を制御する副制御回路とを備え、垂直帰線消去期間において前記主制御回路は、前記バススイッチによって接続された画像メモリに画像情報を書込み、画像情報をハードコピーとして記録する際には、画像メモリに予め書込まれた画像情報を主制御回路が前記垂直帰線消去期間中に読出して前記副制御回路内のバッファメモリ等の記憶部に転送し、この画像情報の転送完了後副制御回路に転送された画像情報に基づき記録紙上に１ライン分の記録データを出力することを特徴とする画像情報記録装置。」（第１頁左下欄第３行〜右下欄第３行、特許請求の範囲）、
「本発明は、上記の点に鑑み成され、ＣＲＴ表示用の画像メモリから垂直帰線消去期間中に、プリント制御用の副制御回路のバッファメモリ等に画像情報を転送し、転送終了後（垂直帰線消去期間経過後）、印刷出力をするようにして、プリンタ制御回路の構成を簡単、安価になすと共に、ＣＲＴ表示装置への画像出力を行わない垂直帰線消去期間中に前記画像メモリをアクセスすることによって、ＣＲＴ画像出力へのノイズ等の悪影響を排除するようにしたものである。」（第１頁右下欄第１６行〜第２頁左上欄第５行）、
「２は同期信号発生回路で、テレビジョン信号における水平・垂直同期信号並びに水平・垂直帰線消去信号を発生すると共に、画像表示期間には前記バススイッチ４を介して画像メモリ３と接続されてこれを支配下におき、ＣＲＴ表示装置６上に画像情報を出力すべく画像メモリ３へのアドレス信号を生成し、画像メモリ３に格納された画像情報を引出して変換回路５によってビデオ信号に変換し、水平・垂直同期信号に基づきＣＲＴ表示装置６の励起を行ない、ＣＲＴ表示装置６上に周期的に画像を出力させる。」（第２頁左上欄第１４行〜右上欄第４行）、
「第２図は、上記画像メモリのアクセスの様子を示している。図中の（イ）は垂直同期信号、（ロ）は垂直帰線消去期間、（ハ）は画像メモリ動作をそれぞれ示すもので、Ａは主制御回路、Ｂは同期信号発生回路、Ｃは画像表示である。」（第２頁左下欄第６行〜第１１行）、および、
「上記実施例において、１ライン分の画像情報の転送印刷、紙送りの一連の動作は１フィールド走査期間３３．３３ｍｓｅｃで完了し、・・・非常な高速でハードコピー可能である。」（第３頁左上欄第４行〜第１０行）と記載されている。
［３］本願発明と引用例との対比・判断
［３−１］　本願発明と引用例１に記載された発明とを比較すると、引用例１の「フレームメモリの赤用メモリ、緑用メモリ、青紫用メモリ」「垂直方向ライン」「Ｄ／Ａ変換部」「モニタ」は、それぞれ本願発明の「メモリ手段」「コラム」「デジタル・アナログ変換手段」「ディスプレイ」に相当している。また、引用例１においては、フレームメモリに記憶された１静止画の読み出しは、プリンタ部とモニタ側の色変換部とでは異なり、プリンタ部には、フレームメモリに記憶された１静止画のプリントの１ライン毎即ち１コラム毎に読み出され、しかも各色毎にてプリンタ部に出力され、モニタ側には、フレームメモリに記憶された１静止画が１走査線毎に読み出され、Ｄ／Ａ変換部を経てモニタ装置に出力されるので、引用例１のものは、本願発明の「データ変換手段」「１色分の映像データを選択出力する選択手段」に相当する手段を備えている。
　よって、両者は、
「映像データをデジタル信号に変換して格納するメモリ手段と、コラム単位の映像データを前記メモリ手段より読み出してプリンタ側へ出力し、映像データを前記メモリ手段よりライン順次に読み出してディスプレイ側へ出力するデータ変換手段と、前記データ変換手段から出力されるコラム単位の映像データ中の１色分の映像データを選択出力する選択手段と、前記データ変換手段から出力される映像データをアナログ信号に変換して出力することにより、前記１フレームのディスプレイが行われるようにするデジタル・アナログ変換手段とを備えることを特徴とする高速カラービデオプリンタ。」である点で一致し、以下の相違点（イ）（ロ）（ハ）で相違している。
（イ）「メモリ手段」は、本願発明では、「複数のフィールドで構成される少なくとも１フレームの映像データをデジタル信号に変換して格納する」と限定されているのに対し、引用例１のものは、入力されるＮＴＳＣ信号をデジタル信号に変換した１静止画分を格納するフレームメモリである点。
（ロ）本願発明は、「選択手段により選択出力される映像データを蓄積し、出力してプリントが行われるようにするラインメモリ手段」を備えているが、引用例１には、特に記載されていない点。
（ハ）「データ変換手段」は、本願発明では、プリンタ側への読み出し出力は、「各フィールド期間のブランキング信号期間中」であり、ディスプレイ側への読み出し出力は、「前記コラム単位の映像データをプリンタ側へ出力する期間を１フィールド期間より除いた残りの期間中」に、「フィールド単位」の映像を出力するのに対し、引用例１には、各読み出し出力の時期については特に記載されておらず、ディスプレイ側への読み出し出力は、１静止画が１走査線毎に出力されると記載されているのみである点。
［３−２］　
　相違点（イ）について。
　　引用例１は、入力されるＮＴＳＣ信号をデジタル信号に変換した１静止画分をフレームメモリに格納するものであるところ、格納される１静止画分とは、１フィールドを意味するのか、１フレームを意味するのか、明確には記載されていないが、ＮＴＳＣ信号が奇数フィールドと偶数フィールドとの２つのフィールドで１フレームが構成されることは当業者の技術常識であるから、引用例１のＮＴＳＣ信号で入力される１静止画分をフレームメモリに格納する旨の記載は、１フィールドの静止画をフレームメモリに格納する場合だけでなく、１フレームの静止画をフレームメモリに格納する場合も示唆しており、この点において、本願発明と引用例１とは、実質的に相違しない。
　相違点（ロ）について。
　引用例１においては、プリンタ部は、１垂直方向ライン毎に読み出されたデータを受け取り、１ライン毎に印字している。１ライン毎のデータを受け取り１ライン毎の印字をするプリンタにおいて、ラインメモリが設けられていることは周知である（例えば、引用例２、特開昭６２−１３１８１号公報（審査時の引用刊行物）等参照）ので、引用例１のプリンタ部をラインメモリ手段を備えたものとすることは当業者が容易になしうることである。
　相違点（ハ）について。
  画像メモリの画像情報をＣＲＴに表示させると共に、プリント記録する装置において、上記画像メモリから、ＣＲＴ表示装置側に画像出力を行わない垂直帰線消去期間（本願発明の「ブランキング信号期間」に相当）中に、１ライン分の画像情報を読み出してプリント側のバッファメモリに出力し、画像表示期間には、ＣＲＴ表示装置に画像情報を出力する技術は、引用例２に記載されており、プリンタ制御回路の構成の簡単化、ＣＲＴ画像出力へのノイズ等の悪影響の排除、及びプリントの高速化の効果が得られることが記載されている。
　引用例１と２のものは、いずれも本願発明と同様、ビデオプリンタに関するものであり、引用例１のものは、１つのフレームメモリからプリンタ側とディスプレイ側とに異なるデータを異なるアドレスで読み出すものであるので、プリント速度の高速化のために、引用例１のものにおいて、プリント側とディスプレイ側への読み出し出力の時期を、それぞれ「各フィールド期間のブランキング信号期間中」と「コラム単位の映像データをプリンタ側へ出力する期間を１フィールド期間よりのぞいた残りの期間中」とすることは、引用例２の技術に基づいて当業者が容易になしうることである。しかも、ディスプレイにおいては、１フィールド期間のうちの画像表示期間に１フィールドの表示が行われるのであるから、フレームメモリから各フィールド期間にフィールド単位のデータ出力を行なうことは当業者がふつうに採用しうることにすぎない。
　上記相違点（イ）（ロ）（ハ）を総合して勘案しても、本願発明の効果は、上記引用例１及び２に記載された範囲内であり、格別のものではない。
［４］むすび
　したがって、本願発明は、本願出願前に頒布された刊行物である引用例１及び２に記載された発明に基いて当業者が容易に発明をすることができたものであるから、本願発明は、特許法第２９条第２項の規定により特許を受けることができない。
　よって、結論のとおり審決する。